(57)【特許請求の範囲】
【請求項１】
被洗浄物を、カルシウム捕捉量２００〜６００ＣａＣＯ3ｍｇ／ｇ且つカルシウム安定度定数４〜１０である分子量１０００以下のキレート剤であって、下記一般式（Ｉ）で表される化合物から選ばれるキレート剤１〜３０質量％、界面活性剤０．５〜７質量％及び水を含有し、両性界面活性剤を界面活性剤中５０質量％以上含有する（ａ）前処理剤組成物と接触させた後、界面活性剤０．００５〜０．２質量％及び水を含有する（ｂ）後処理剤組成物と接触させる洗濯方法。
【化１】
0003889250.tif 000007
〔式中、Ｒは−(ＣＨ2)n−Ａであり、ＡはＨ、ＯＨ、ＣＯＯＭであり、ＭはＨ、Ｎａ、Ｋ、ＮＨ4であり、ｎは０〜５の数を示す。〕
【請求項２】
（ａ）前処理剤組成物が、更にアルカリ剤１〜３０質量％を含有する組成物である請求項１記載の洗濯方法。
【請求項３】
（ｂ）後処理剤組成物が、更に酵素を含有する組成物である請求項１又は２記載の洗濯方法。
【請求項４】
被洗浄物と（ａ）前処理剤組成物との接触を、（ａ）前処理剤組成物を被洗浄物に塗布することにより行い、被洗浄物と（ｂ）後処理剤組成物との接触を、被洗浄物を（ｂ）後処理剤組成物へ浸漬することにより行う請求項１〜３何れか記載の洗濯方法。
【請求項５】
被洗浄物にカルシウム捕捉量２００〜６００ＣａＣＯ3ｍｇ／ｇ且つカルシウム安定度定数４〜１０である分子量１０００以下のキレート剤であって、下記一般式（Ｉ）で表される化合物から選ばれるキレート剤１〜３０質量％、界面活性剤０．５〜７質量％及び水を含有し、両性界面活性剤を界面活性剤中５０質量％以上含有する（ａ）前処理剤組成物を保持させる工程と、（ａ）前処理剤組成物を保持する被洗浄物を、界面活性剤０．００５〜０．２質量％及び水を含有する（ｂ）後処理剤組成物と接触させる工程とを有する洗濯方法。
【化２】
0003889250.tif 000008
〔式中、Ｒは−(ＣＨ2)n−Ａであり、ＡはＨ、ＯＨ、ＣＯＯＭであり、ＭはＨ、Ｎａ、Ｋ、ＮＨ4であり、ｎは０〜５の数を示す。〕
【請求項６】
両性界面活性剤が、下記一般式（II）又は(III)で表される化合物である請求項１〜５の何れか１項記載の洗濯方法。
【化３】
0003889250.tif 000009
〔式中、Ｒ1は炭素数７〜２０のアルキル基又はアルケニル基、Ｒ2、Ｒ3はそれぞれ炭素数１〜３のアルキル基もしくはアルケニル基又は水素原子である。Ｒ4は水素原子又は炭素数１〜５のアルキル基もしくはアルケニル基、ｍは１〜５の数を示す。〕
【化４】
0003889250.tif 000010
〔式中、Ｒ5は炭素数８〜２０のアルキル基又はアルケニル基、Ｒ6、Ｒ7はそれぞれ炭素数１〜３のアルキル基もしくはアルケニル基又は水素原子、ｐは０〜１０の数を示す。〕
【発明の詳細な説明】
【０００１】
【発明の属する技術分野】
本発明は衣料の洗濯方法に関する。更に詳しくは、２段階の処理工程を有する洗濯方法に関する。
【０００２】
【従来の技術】
襟袖や食べこぼし等の部分汚れのひどい場合は、通常の洗濯では、充分に汚れが取れなかったり、染みのまま残ったりする。一般的に、襟袖や染み汚れには、直接洗剤を塗布することにより、部分的に洗剤濃度を上げることで対処している。
【０００３】
例えば特開昭６０−１０１１９９号公報、特開平１０−２９８５９９号公報には被洗浄物に塗布した後に洗濯を行う塗布洗浄剤が開示されている。しかし、これらによって開示された内容では洗浄力が不十分であり、特に襟袖汚れといった人由来の汚れに対して洗浄力が不十分であった。
【０００４】
【発明が解決しようとする課題】
本発明の課題は、簡便に、優れた洗浄性能が得られる洗濯方法を提供することにある。特に襟汚れ、袖汚れ等の人由来の汚れに対して優れた洗浄性能が得られる洗濯方法を提供することにある。
【０００５】
【課題を解決するための手段】
本発明は、被洗浄物を、キレート剤〔以下、（ａ１）成分という〕１〜３０質量％及び水〔以下、（ａ２）成分という〕を含有する（ａ）前処理剤組成物と接触させた後、界面活性剤〔以下、（ｂ１）成分という〕０．００５〜０．２質量％及び水〔以下、（ｂ２）成分という〕を含有する（ｂ）後処理組成物と接触させる洗濯方法に関する。
【０００６】
【発明の実施の形態】
本発明の洗濯方法は、特に襟汚れ、袖汚れ、しみ汚れ等の部分汚れに好適な洗濯方法であり、襟汚れ、袖汚れ等の人由来の汚れにより好適な洗濯方法である。
【０００７】
被洗浄物と（ａ）前処理剤組成物との接触は、（ａ）前処理剤組成物に被洗浄物を浸漬することにより行っても良いが、簡便性の点で、被洗浄物に（ａ）前処理剤組成物を塗布することにより行うことがより好ましい。塗布方法としては、（ａ）前処理剤組成物の入った容器排出部の孔より直接塗布したり、スポンジやブラシやロールを介して塗布したり、計量容器で計量して塗布しても良いが、利便性の点で噴霧又は泡状に塗布することがより好ましく、使用者が細かな霧を吸引することを回避するためには、泡状に塗布することが更に好ましい。
【０００８】
本発明では、被洗浄物と（ａ）前処理剤組成物を接触させた後、（ａ）前処理剤組成物を保持したまま被洗浄物を（ｂ）後処理剤組成物と接触させる。（ａ）前処理剤組成物の接触が完了してから（ｂ）後処理剤組成物を接触させるまでの間隔は、洗浄性能の点で、３０秒以上経過させることが好ましく、１分以上がより好ましく、５分以上が更に好ましい。効果及び簡便性の点で、５時間以下が好ましく、２時間以下がより好ましく、１時間以下が更に好ましく、３０分以下が特に好ましい。
【０００９】
洗浄性能の点で、（ｂ）後処理剤組成物と接触させるまでの間、手指等でもむ、たたく、ブラシ等でこする、超音波振動を加える等、被洗浄物に物理的な力を加えても良い。その際、（ａ）前処理剤組成物が必要以上に脱離しないよう調整する。
【００１０】
被洗浄物と（ｂ）後処理剤組成物との接触は、洗浄性能の点で（ｂ）後処理剤組成物に被洗浄物を浸漬することにより行うことが好ましい。また、浸漬を洗濯機で行い、攪拌することが好ましい。
【００１１】
〔（ａ）前処理剤組成物〕
本発明に用いる（ａ）前処理剤組成物は、洗浄力、安全性の点でＪＩＳ  Ｋ  ３３６２：１９９８記載の方法による２０℃のｐＨが７．５〜１２であることが好ましく、８〜１１がより好ましく、８．５〜１１が更に好ましく、９〜１１が特に好ましく、１０〜１１が最も好ましい。
【００１２】
本発明に用いる（ａ）前処理剤組成物は、容器からの排出の容易さ、被洗浄物との接触の容易さの点で２０℃の粘度が１〜５０ｍＰａ・ｓ（Ｂ型粘度計、６０ｒ／ｍｉｎ）が好ましく、１〜３０ｍＰａ・ｓがより好ましく、１〜２０ｍＰａ・ｓが更に好ましく、２〜１５ｍＰａ・ｓが特に好ましい。
【００１３】
＜（ａ１）成分＞
本発明に用いる（ａ）前処理剤組成物は、（ａ１）成分を１〜３０質量％含有する。洗浄性能、接触性の点で２〜２５質量％含有することが好ましく、３〜２０質量％がより好ましく、３．５〜１５質量％が更に好ましく、４〜１２質量％が特に好ましい。
【００１４】
（ａ１）成分は、洗浄性能の点で、分子量は１０００以下が好ましく、８００以下がより好ましく、６００以下が更に好ましい。
【００１５】
洗浄力、環境適性の点で、（ａ１）成分のカルシウム捕捉量は２００〜６００ＣａＣＯ3ｍｇ／ｇが好ましく、２５０〜５５０ＣａＣＯ3ｍｇ／ｇがより好ましく、３００〜５００ＣａＣＯ3ｍｇ／ｇが更に好ましい。また、カルシウム安定度定数は４〜１０が好ましく、５〜９がより好ましく、６〜８が更に好ましく、６．５〜８が特に好ましい。
【００１６】
尚、本発明において、カルシウム安定度定数及びカルシウム捕捉量は次の方法で求められるものをいう。
【００１７】
（カルシウム安定度定数の測定方法）
緩衝液として０．１ｍｏｌ／リットルのＮＨ4Ｃｌ−ＮＨ4ＯＨ（ｐＨ１０）溶液を調製する。この緩衝液を用いて全ての試料溶液を調製する。Ｃａ2+濃度の測定にはオリオン(株)製のイオンメーター９２０ＡとＣａ2+イオン電極を用いる。先ず、塩化カルシウム濃度と電極の電位の関係を求め、検量線を作成する。塩化カルシウムの５．３６×１０-2ｍｏｌ／リットル溶液、キレート剤試料の５．３６×１０-4ｍｏｌ／リットル溶液を調製する。キレート剤試料溶液１００ｍｌに塩化カルシウム溶液を１ｍｌ加え、５分間撹拌する。残存しているＣａ2+濃度をＣａ2+イオン電極を用いて測定する。キレート剤はＣａ2+と１：１でキレート錯体を形成すると仮定して下記の式からカルシウム安定度定数（Ｃａ安定度定数）を求める。
【００１８】
【数１】
0003889250.tif 000002
【００１９】
（カルシウム捕捉量の測定方法）
カルシウム捕捉量（Ｃａ捕捉量）は、特開平３−２７７６９６号公報３頁右下欄６行目から４頁左上欄６行目記載の方法（但し、陰イオン性界面活性剤をキレート剤と読み替える）により求める。
【００２０】
（ａ１）成分としては、分子内にＣＯＯＭ基（ＭはＨ、Ｎａ、Ｋ、ＮＨ4）を２〜５個、好ましくは３〜５個有する化合物が挙げられる。中でも洗浄性能、環境適性の点で下記一般式（Ｉ）で表される化合物が好ましい。
【００２１】
【化１】
0003889250.tif 000003
【００２２】
〔式中、Ｒは−(ＣＨ2)n−Ａであり、ＡはＨ、ＯＨ、ＣＯＯＭであり、ＭはＨ、Ｎａ、Ｋ、ＮＨ4、好ましくはＮａであり、ｎは０〜５の数を示す。〕。
【００２３】
＜（ａ２）成分＞
本発明に用いる（ａ）前処理剤組成物は、水を含有する。洗浄性能、接触性の点で５０〜９５質量％が好ましく、５５〜９０質量％がより好ましく、６０〜８５質量％が更に好ましく、６５〜８０質量％が特に好ましい。
【００２４】
＜その他の成分＞
（界面活性剤）
本発明に用いる（ａ）前処理剤組成物は、洗浄性能、接触性の点で界面活性剤を含有することが好ましく、０．５〜１０質量％がより好ましく、０．５〜８質量％が更に好ましく、１〜７質量％が特に好ましい。
【００２５】
（ａ）前処理剤組成物に含有される界面活性剤としては、非イオン界面活性剤、陰イオン界面活性剤、陽イオン界面活性剤、両性界面活性剤等が挙げられる。中でも洗浄性能の点で両性界面活性剤を含有することが好ましく、界面活性剤中の５０質量％以上、更に６０質量％以上、特に７０質量％以上含有することが好ましい。
【００２６】
両性界面活性剤としては、アルキルベタイン、イミダゾリニウムベタイン、アミンオキサイド、アルキルアラニン等が挙げられる。洗浄性能の点で下記一般式（II）又は(III)で表される化合物が界面活性剤中の５０質量％以上、更に６０質量％以上、特に７０質量％以上であることが好ましく、なかでも一般式（II）で表される化合物が界面活性剤中の５０質量％以上、更に６０質量％以上、特に７０質量％以上であることが好ましい。
【００２７】
【化２】
0003889250.tif 000004
【００２８】
〔式中、Ｒ1は炭素数７〜２０、好ましくは９〜１５のアルキル基又はアルケニル基、Ｒ2、Ｒ3はそれぞれ炭素数１〜３のアルキル基もしくはアルケニル基、好ましくは炭素数１のアルキル基又は水素原子である。Ｒ4は水素原子又は炭素数１〜５のアルキル基もしくはアルケニル基、好ましくは水素原子又はメチル基、ｍは１〜５、好ましくは３の数を示す。〕
【００２９】
【化３】
0003889250.tif 000005
【００３０】
〔式中、Ｒ5は炭素数８〜２０、好ましくは１２〜１４のアルキル基又はアルケニル基、Ｒ6、Ｒ7はそれぞれ炭素数１〜３アルキル基もしくはアルケニル基、好ましくは炭素数１のアルキル基又は水素原子、ｐは０〜１０、好ましくは２〜４の数を示す。〕。
【００３１】
陰イオン界面活性剤としては、アルコールの硫酸エステル塩、アルコールのエトキシレート化物の硫酸エステル塩、アルキルベンゼンスルホン酸塩、パラフィンスルホン酸塩、α−オレフィンスルホン酸塩、α−スルホ脂肪酸塩、α−スルホ脂肪酸アルキルエステル塩又は脂肪酸塩が挙げられる。特に、アルキル鎖の炭素数が１２〜１４の直鎖アルキルベンゼンスルホン酸塩、炭素数１２〜１８のアルキル硫酸エステル塩が好ましく、対イオンとしては、アルカリ金属類、アルカノールアミン塩が好ましい。
【００３２】
非イオン界面活性剤としては、ポリオキシアルキレンアルキルエーテル、ポリオキシアルキレンアルキルフェニルエーテル、ポリオキシアルキレンソルビタン脂肪酸エステル、ポリオキシアルキレングリコール脂肪酸エステル、ポリオキシエチレンポリオキシプロピレンブロックポリマー、脂肪酸アルカノールアミド、アルキルポリグリコシド等が好ましい。特に、アルキルポリグリコシドが好ましい。
【００３３】
陽イオン界面活性剤としては、４級型のモノ長鎖アルキル又はジ長鎖アルキルアンモニウム塩等が挙げられる。
【００３４】
本発明において、（ａ１）成分、好ましくは一般式（Ｉ）で表される化合物と、界面活性剤、好ましくは両性界面活性剤の質量比は、界面活性剤／（ａ１）＝３／１〜１／５であることが好ましく、より好ましくは２／１〜１／３、更に好ましくは１／１〜１／３、特に好ましくは１／１〜１／２である。
【００３５】
（アルカリ剤）
本発明に用いる（ａ）前処理剤組成物は、洗浄性能、接触性の点でアルカリ剤を含有することが好ましく、１〜３０質量％含有することがより好ましく、３〜２５質量％が更に好ましく、５〜２０質量％が特に好ましく、５〜１５質量％が最も好ましい。
【００３６】
（ａ）前処理剤組成物に含有されるアルカリ剤としては、例えば炭酸ナトリウム、炭酸水素ナトリウム、炭酸カリウム、炭酸水素カリウム等のアルカリ金属炭酸塩、珪酸ナトリウム、珪酸カリウム等のアルカリ金属珪酸塩、オルトリン酸塩、メタリン酸塩、ピロリン酸塩、ヘキサメタリン酸塩等のポリリン酸塩、モノエタノールアミン、ジエタノールアミン、トリエタノールアミン等のアルカノールアミン類、リン酸水素二ナトリウム、リン酸三ナトリウム、ホウ酸塩等が挙げられる。
【００３７】
（ａ）前処理剤組成物に含有されるアルカリ剤は洗浄性能の点で、０．０２５質量％濃度の水溶液もしくは分散液の最大ｐＨが１０以上（２０℃）であり、且つ該水溶液もしくは分散液１リットルをｐＨ９（２０℃）にするために０．１Ｎの塩酸水溶液を１０ｍｌ以上必要とする化合物であることが好ましい。このような化合物としては、炭酸ナトリウム、炭酸カリウム、珪酸ナトリウム、リン酸三ナトリウム、モノエタノールアミン等が挙げられる。中でも炭酸ナトリウム、炭酸カリウム、珪酸ナトリウムがより好ましく、特に炭酸ナトリウムが好ましい。
【００３８】
（その他）
本発明に用いる（ａ）前処理剤組成物は、低温安定性、接触性の点で、ハイドロトロープ剤を含有することが好ましく、１〜３０質量％含有することがより好ましく、２〜１５質量％が更に好ましく、３〜１０質量％が特に好ましい。
【００３９】
（ａ）前処理剤組成物に含有されるハイドロトロープ剤としては、エタノール、メタノール、プロパノール、グリセリン、エチレングリコール、プロピレングリコール等の炭素数１〜４の低級アルコール、トルエンスルホン酸又はその塩、キシレンスルホン酸又はその塩、下記一般式（IV）で示される化合物等が挙げられる。
【００４０】
Ｘ−(Ｐｈ)−Ｏ(ＣＨ2ＣＨ2Ｏ)p(ＣＨ2ＣＨＲＯ)qＹ  （IV）
〔式中、Ｘは、水素原子、炭素数１〜４のアルキル基もしくはアルケニル基、水酸基、又はハロゲンであり、Ｙは、水素原子、メチル基、又はエチル基であり、Ｐｈは、フェニレン基であり、Ｒは、水素原子、メチル基、又はエチル基であり、ｐは、１〜６、好ましくは１〜３、ｑは、０〜４、好ましくは０〜２であり、ｐ＋ｑは、１〜１０、好ましくは１〜６である。〕。
【００４１】
中でも炭素数２〜３の低級アルコール、ｐ−トルエンスルホン酸又はその塩がより好ましい。
【００４２】
本発明の（ａ）前処理剤組成物には他に、（１）ポリアクリル酸又はその塩、ポリマレイン酸又はその塩、カルボキシメチルセルロース、アクリル酸−マレイン酸共重合体若しくはその塩、無水マレイン酸−ジイソブチレン共重合体若しくはその塩、無水マレイン酸−メチルビニルエーテル共重合体若しくはその塩、無水マレイン酸−イソブチレン共重合体若しくはその塩、無水マレイン酸−酢酸ビニル共重合体若しくはその塩、及び特開昭５９−６２６１４号公報の請求項１〜２１（１頁３欄５行〜３頁４欄１４行）記載のポリマー等といった有機多価カルボン酸及び／又はその塩０．０１〜１０質量％、（２）平均分子量５０００以上のポリエチレングリコール、ナフタレンスルホン酸塩ホルマリン縮合物等の再汚染防止剤及び分散剤０．０１〜１０質量％、（３）ポリビニルピロリドン等の色移り防止剤０．０１〜１０質量％、（４）シリコーン、シリカ等の調泡剤０．０１〜２質量％、（５）ブチルヒドロキシトルエン、ジスチレン化クレゾール、亜硫酸ナトリウム及び亜硫酸水素ナトリウム等の酸化防止剤０．０１〜２質量％、（６）着色剤、（７）アミラーゼ、プロテアーゼ、リパーゼ、セルラーゼ等の酵素、（８）塩化カルシウム、硫酸カルシウム、ギ酸、ホウ酸（ホウ素化合物）等の酵素安定化剤、（９）香料、（１０）抗菌防腐剤等を配合することができる。
【００４３】
〔（ｂ）後処理剤組成物〕
本発明に用いる（ｂ）後処理剤組成物は、洗浄力、安全性の点でＪＩＳ  Ｋ  ３３６２：１９９８記載の方法による２０℃のｐＨが７．５〜１２であることが好ましく、８〜１１がより好ましく、８．５〜１１が更に好ましく、９〜１１が特に好ましく、１０〜１１が最も好ましい。
【００４４】
本発明に用いる（ｂ）後処理剤組成物は、被洗浄物との接触の容易さの点で２０℃の粘度が０．５〜５ｍＰａ・ｓ（Ｂ型粘度計、６０ｒ／ｍｉｎ）が好ましく、０．６〜２ｍＰａ・ｓがより好ましく、０．８〜１．５ｍＰａ・ｓが更に好ましい。
【００４５】
＜（ｂ１）成分＞
本発明に用いる（ｂ）後処理剤組成物は、界面活性剤を０．００５〜０．２質量％含有する。洗浄性能、接触性の点で０．０１〜０．１質量％が好ましく、０．０１５〜０．０５質量％がより好ましい。
【００４６】
（ｂ１）成分としては、陰イオン界面活性剤、非イオン界面活性剤、両性界面活性剤、陽イオン界面活性剤の１種または組み合わせを挙げることが出来るが、好ましくは陰イオン界面活性剤、非イオン界面活性剤である。特に洗浄性の点で、陰イオン界面活性剤／非イオン界面活性剤の質量比は、２０／１〜１／１０が好ましく、１０／１〜１／５がより好ましく、５／１〜１／１が更に好ましい。
【００４７】
陰イオン界面活性剤としては、炭素数１０〜１８のアルコールの硫酸エステル塩、炭素数８〜２０のアルコールのアルコキシル化物の硫酸エステル塩、アルキルベンゼンスルホン酸塩、パラフィンスルホン酸塩、α−オレフィンスルホン酸塩、α−スルホ脂肪酸塩、α−スルホ脂肪酸アルキルエステル塩又は脂肪酸塩が好ましい。本発明では特に、アルキル鎖の炭素数が１０〜１４、好ましくは１２〜１４の直鎖アルキルベンゼンスルホン酸塩が好ましく、対イオンとしては、アルカリ金属塩やアミン類が好ましく、特にナトリウム及び／又はカリウム、モノエタノールアミン、ジエタノールアミンが好ましい。
【００４８】
非イオン界面活性剤としては、ポリオキシアルキレンアルキル（炭素数８〜２０）エーテル、アルキルポリグリコシド、ポリオキシアルキレンアルキル（炭素数８〜２０）フェニルエーテル、ポリオキシアルキレンソルビタン脂肪酸（炭素数８〜２２）エステル、ポリオキシアルキレングリコール脂肪酸（炭素数８〜２２）エステル、ポリオキシエチレンポリオキシプロピレンブロックポリマーが好ましい。特に、非イオン性界面活性剤としては、炭素数１０〜１８のアルコールにエチレンオキシド（以下、ＥＯと表記する）やプロピレンオキシド（以下、ＰＯと表記する）等のアルキレンオキシドを４〜２０モル付加したポリオキシアルキレンアルキルエーテルが好ましく、なかでも、ＨＬＢ値（グリフィン法で算出）が１０．５〜１５．０、好ましくは１１．０〜１４．５のものが好ましい。
【００４９】
＜（ｂ２）
＜（ｂ２）成分＞
本発明に用いる（ｂ）後処理剤組成物は、水を含有する。洗浄性能、接触性の点で９９〜９９．９９質量％が好ましく、９９．５〜９９．９８質量％がより好ましく、９９．８〜９９．９５質量％が更に好ましい。
【００５０】
＜その他の成分＞
本発明に用いる（ｂ）後処理剤組成物は、洗浄性能の点で酵素を含有することが好ましい。（ｂ）後処理剤組成物に含有する酵素として、アミラーゼ、プロテアーゼ、リパーゼ、セルラーゼ等が挙げられる。中でもプロテアーゼ、セルラーゼが好ましい。
【００５１】
本発明に用いる（ｂ）後処理剤組成物は、洗浄性能の点で（１）ゼオライト、非晶質アルミノケイ酸塩、結晶性ケイ酸塩等の無機ビルダー、（２）有機カルボン酸ポリマー又はその塩、（３）炭酸塩、ケイ酸塩等のアルカリ剤、（４）過炭酸塩、過ホウ酸塩等の漂白剤、（５）漂白活性剤、（６）再汚染防止剤、（７）泡コントロール剤、（８）香料、（９）蛍光増白剤、（１０）還元剤等を含有できる。
【００５２】
【実施例】
実施例１〜７、比較例１〜３
表１に示す組成の（ａ）前処理剤組成物を調製した。得られた実施例の組成物の２０℃のｐＨは何れも１０〜１１であった。また、実施例の組成物の粘度は何れも２〜１５ｍＰａ・ｓ（Ｂ型粘度計、２０℃、６０ｒ／ｍｉｎ）であった。
【００５３】
また、表１に示す組成の（ｂ）後処理剤組成物を調製した。得られた実施例の組成物の２０℃のｐＨは何れも１０〜１１であった。また、実施例の組成物の粘度は何れも０．８〜１．５ｍＰａ・ｓ（Ｂ型粘度計、２０℃、６０ｒ／ｍｉｎ）であった。
【００５４】
これらについて以下に示す方法により、洗浄力の評価を行った。その結果を表１に示す。
【００５５】
＜洗浄力の評価＞
ＪＩＳ  Ｋ３３６２：１９９８  記載の襟あか布１枚に付き、（ａ）前処理剤組成物を４ｇ塗布し、５分間静置した。
【００５６】
次に、自動２槽式洗濯機（東芝銀河３．６）の洗濯槽に（ｂ）後処理剤組成物４０Ｌを入れ、これに１．４ｋｇの綿製の未着用肌着、０．６ｋｇの綿／ポリエステル混紡の未着用ワイシャツ及び（ａ）前処理剤組成物を塗布した襟あか布６枚（３段階の汚れを各２枚）を洗濯槽に入れ、１０分間普通洗浄する。その後１分間脱水し、８分間１５Ｌ／ｍｉｎの水量で流水すすぎする。その後５分間脱水し、室内で自然乾燥させる。
【００５７】
（ａ）前処理剤組成物を塗布しないで同様の操作を行ったものをブランクとして、目視により一対比較し、以下の判定基準により評価する。その結果を表１に示す。
【００５８】
評価基準
◎：３段階の汚れ全てにおいて、ブランクより明らかに汚れが落ちている。
○：３段階の汚れ全てにおいて、ブランクよりやや汚れが落ちている。
×：３段階の汚れ全てにおいて、ブランクとほとんど差がない、又は汚れ落ちに劣る。
【００５９】
【表１】
0003889250.tif 000006
【００６０】
・両性界面活性剤１：ラウラミドプロピルアミンオキシド（ソフタゾリンＬＡＯ−Ｃ、川研ファインケミカル（株）、純分換算量）
・両性界面活性剤２：ジメチルラウリルアミンオキサイド（アンヒトール２０Ｎ、花王（株）、純分換算）
・両性界面活性剤３：ラウリル（２−ヒドロキシ−３−スルホプロピル）ジメチルベタイン（アンヒトール２０ＨＤ、花王（株）、純分換算）
・非イオン界面活性剤１：デシルグルコシド（マイドール１０、花王（株）、純分換算）
・非イオン界面活性剤２：炭素数１０〜１４の直鎖第１級アルコールにＥＯを平均８モル、ＰＯを平均２モルランダム付加させたもの
・非イオン界面活性剤３：炭素数１２〜１４の２級アルコールにＥＯを平均６モル付加させたもの
・陰イオン界面活性剤１：ヤシ油脂肪酸ナトリウム
・陰イオン界面活性剤２：炭素数１０〜１４の直鎖アルキルベンゼンスルホン酸ナトリウム
・陰イオン界面活性剤３：炭素数１４〜１８のα−オレフィンスルホン酸カリウム
・キレート剤１：メチルグリシン二酢酸三ナトリウム（トリロンＭ、ＢＡＳＦジャパン（株）、純分換算）（Ｃａ捕捉量４３０ＣａＣＯ3ｍｇ／ｇ、Ｃａ安定度定数６．１）
・キレート剤２：アスパラギン酸−Ｎ，Ｎ−二酢酸四ナトリウム（Ｃａ捕捉量３２８ＣａＣＯ3ｍｇ／ｇ、Ｃａ安定度定数６．７）
・キレート剤３：セリン二酢酸三ナトリウム（Ｃａ捕捉量３４７ＣａＣＯ3ｍｇ／ｇ、Ｃａ安定度定数６．５）
・キレート剤４：グルタミン酸二酢酸四ナトリウム（Ｃａ捕捉量３０５ＣａＣＯ3ｍｇ／ｇ、Ｃａ安定度定数５．８）
・キレート剤５：エチルグリシン二酢酸三ナトリウム（Ｃａ捕捉量４１９ＣａＣＯ3ｍｇ／ｇ、Ｃａ安定度定数５．７）
・カルボン酸系ポリマー：特開平１０−６０４７６号公報の頁１１６行〜１３行記載の方法で合成したフェノキシポリエチレングリコール、アクリル酸、マレイン酸共重合体（重量平均分子量１００００、固形分５１．２質量％）
・酵素：エバラーゼ１６．０Ｌ−ＥＸ（プロテアーゼ、ノボザイムズ社製）
・色素：カヤシオンオレンジ（組成物中に１０ｐｐｍ（質量比）添加）